(57)【要約】【課題】複数の電子機器の中から所望の機器を選択して操作することができる操作ユニット及びこれを用いた操作モジュールを安価に提供する。【解決手段】第１操作部としてなるモーメンタリスイッチ３１を押圧操作して操作対象機器を選択すると、そのスイッチ操作部３１Ａに装着された押しボタン３４の下方への移動に伴い第１ばね体４５の他端側が押し下げられて回動動作し、その機構的な変移によって第１ばね体４５の一端側に配された球体部４８の上方球面部が、対応する円盤部材４１の下面に弾接される構成とした。前記状態で操作つまみ４９を回転操作すると、前記操作対象機器に応じた操作角度位置で設けられたクリック溝４１Ａに前記上方球面部が入り込みそれが操作感触として得られるようにできる。【選択図】図１
2006222003.tif 000002
【特許請求の範囲】
【請求項１】
複数の電子機器の中から操作対象機器を選択するための第１操作部と、前記選択対象となる複数の電子機器への操作部分として共用使用され、前記第１操作部への操作に連動して、機構的な変移を伴って操作感触生成位置が前記選択した機器に応じた操作位置に切り換わる第２操作部とを有する操作ユニット。
【請求項２】
第２操作部は、確定操作機能をさらに備え、その確定操作機能における操作形態が、選択した機器への機能操作時の操作形態と異なる請求項１記載の操作ユニット。
【請求項３】
請求項１記載の操作ユニット及びその操作ユニットからの入力信号を判別するメイン制御部を備え、前記操作ユニットの第１操作部への操作で所望の機器が選択されると、その第１操作部からの入力信号を判別した前記メイン制御部が、表示部内の表示を前記選択した機器に応じた表示内容に切り換え表示させると同時に、前記選択された機器に応じて切り換わる第２操作部の操作感触生成位置に合わせて前記第２操作部からの入力信号を読み込んで判別処理し前記選択された機器の制御がなされる操作モジュール。
【発明の詳細な説明】
【技術分野】
【０００１】
本発明は、複数の電子機器の中から所望の機器を選択して操作することができる操作ユニット及びこれを用いた操作モジュールに関するものである。
【背景技術】
【０００２】
自動車内にはエアコン、オーディオ等の各種電子機器が搭載され、通常、それらの入力操作部分となる操作ユニットは、機器毎に構成されて車室内の前面フロントパネルに配設されることが多い。
【０００３】
そして、機器の多様化や多機能化などが進むにつれて、一つの操作ユニット内に配置されるエンコーダやスイッチ等の電子部品数が増加傾向にあると共に、配置される操作ユニット数自身も増えている。
【０００４】
しかし、車室内の前面フロントパネル部分においては、各操作ユニットの配置面積は限られることから、一つの操作ユニットを共用して複数の機器が操作できるもの、例えば図１１の側面図及び図１２の上面図に示す構成の操作ユニット１が提案されつつある。
【０００５】
ここで、前記構成の操作ユニット１について簡単に説明する。
【０００６】
図１１及び図１２に示すように、箱型に構成された筐体２の底部には配線基板３が配され、その配線基板３には、プッシュスイッチ４〜６、操作感触を伴わない回転型電子部品７、モータ８、マイコンからなるモータ８の回転制御を行うモータ用制御部９が配されている。なお、前記配線基板３は、ＦＰＣを介して外部と電気的に接続されているが、当該部分の図示などは省略する。
【０００７】
そして、各プッシュスイッチ４〜６は、図１２に示すように筐体２の側方位置に定間隔で配置され、各スイッチ操作部４Ａ〜６Ａに装着された各押しボタン１０〜１２は、押圧操作可能なように筐体２の上方に孔部を介して各々突出している。また、図１１に示すように、回転型電子部品７の操作軸７Ａには、外周が歯車状に構成された円盤部１３Ａを備えた中間部材１３が結合され、その中間部材１３の上端に円盤型の操作つまみ１４が結合されている。
【０００８】
そして、回転型電子部品７に隣接させて配されたモータ８の回転軸８Ａには、歯付きプーリ１５が結合され、その歯付きプーリ１５は、前記中間部材１３の円盤部１３Ａ外周の歯と噛み合っている。
【０００９】
従来の操作ユニット１は、前記のように構成され、車内には、図１３のブロック図に示すように、操作対象となる第１〜第３電子機器１６Ａ〜１６Ｃに対しメイン制御部１７を介して接続され、全体で操作モジュール１８として搭載される。
【００１０】
そして、その使用時には、操作したい機器に割り当てられたプッシュスイッチ４〜６の押しボタン１０〜１２のいずれかを押圧操作し、そのスイッチ信号をメイン制御部１７に入力して判別させ、そのメイン制御部１７の制御により、前記所望の機器が操作ユニット１で操作できるようにする。
【００１１】
つまり、そのプッシュスイッチ４〜６のいずれかからのスイッチ信号を判別したメイン制御部１７は、モータ８の回転制御を行うモータ用制御部９を、選択された第１〜第３電子機器１６Ａ〜１６Ｃのいずれかの操作に応じた制御モードに切り換え、選択された機器に応じた操作角度でモータ８の回転制御を行う制御パターンとさせる。
【００１２】
また、それと同時に、メイン制御部１７は、選択された機器に応じた操作角度位置で得られる回転型電子部品７からの信号を読み込んで識別するモードとなる。
【００１３】
そして、操作つまみ１４への回転操作が行われ、メイン制御部１７を介して選択した機器の操作が行われるが、このとき、モータ用制御部９によるモータ８の回転制御が所定の操作角度位置でなされ、モータ８の回転軸８Ａに結合された歯付きプーリ１５に噛み合っている中間部材１３の円盤部１３Ａが回転規制を受けて、それが操作感触として得られるものであった。
【００１４】
なお、この出願の発明に関連する先行技術文献情報としては、例えば、特許文献１が知られている。
【特許文献１】特開２００４−１１４２０１号公報
【発明の開示】
【発明が解決しようとする課題】
【００１５】
しかしながら、前記操作ユニット１の構成は、モータ８やモータ用制御部９が必要不可欠で、しかもモータ駆動用の制御プログラムなどの開発に多大な費用がかかるため、高価なものになってしまうという課題があった。
【００１６】
本発明は、このような従来の課題を解決するものであり、モータを使用せずに複数の電子機器から所望の機器を選択して操作できる簡素で安価に構成できる操作ユニット及びこれを用いた操作モジュールを提供することを目的とする。
【課題を解決するための手段】
【００１７】
前記目的を達成するために本発明は、以下の構成を有する。
【００１８】
本発明の請求項１に記載の発明は、複数の電子機器の中から操作対象機器を選択するための第１操作部と、前記選択対象となる複数の電子機器への操作部分として共用使用され、前記第１操作部への操作に連動して、機構的な変移を伴って操作感触生成位置が前記選択した機器に応じた操作位置に切り換わる第２操作部とを有する操作ユニットであり、機構的な変移を持って操作感触生成位置が切り換わる構成であるため、モータを必要とせずモータなどの配設スペースが削減できると共に、モータの制御プログラムも不要となって簡素で安価なものとして構成できるという作用を有する。
【００１９】
請求項２に記載の発明は、請求項１記載の発明において、第２操作部は、確定操作機能をさらに備え、その確定操作機能における操作形態が、選択した機器への機能操作時の操作形態と異なるものであり、例えば、第２操作部の操作部分を、回転操作及びプッシュ操作可能なものとしてその一方を前記確定機能に割り当てるなどすれば、誤操作の発生などを少なくできるという作用を有する。
【００２０】
請求項３に記載の発明は、請求項１記載の操作ユニット及びその操作ユニットからの入力信号を判別するメイン制御部を備え、前記操作ユニットの第１操作部への操作で所望の機器が選択されると、その第１操作部からの入力信号を判別した前記メイン制御部が、表示部内の表示を前記選択した機器に応じた表示内容に切り換え表示させると同時に、前記選択された機器に応じて切り換わる第２操作部の操作感触生成位置に合わせて前記第２操作部からの入力信号を読み込んで判別処理し前記選択された機器の制御がなされる操作モジュールとしたものであり、モータなどの配設スペースやその制御用のプログラムが不要な簡素で安価なものにできるという作用を有する。
【発明の効果】
【００２１】
本発明の操作ユニット及びこれを用いた操作モジュールは、第１操作部で所望の電子機器を選択し、それに連動して機構的な変移を伴って第２操作部の操作感触生成位置が、前記選択した機器に応じた操作位置に切り換わって、前記選択した機器毎への個別操作ができるもののため、従来必要であったモータなどの配設スペースが削減できると共に、そのモータ制御用のプログラムも不要になり、簡素で安価な構成のものにできるという有利な効果が得られる。
【発明を実施するための最良の形態】
【００２２】
以下、本発明の実施の形態について図面を用いて説明する。
【００２３】
（実施の形態）
図１は本発明の一実施の形態による操作ユニットの側面図、図２は同上面図である。なお、図１は、図２に示したＰ−Ｐ線における矢印方向での側面図を示したものである。
【００２４】
同図において、２０は下方筐体部２１に位置決め保持された配線基板であり、その配線基板２０には、プッシュタイプのモーメンタリスイッチ３１〜３３が三つ配されている。このモーメンタリスイッチ３１〜３３の各々のスイッチ操作部３１Ａ〜３３Ａには、各押しボタン３４〜３６が装着されており、各押しボタン３４〜３６の上部は、下方筐体部２１に固定された箱型の上方筐体部２２天面に設けられた孔部を介して上方に突出している。なお、各押しボタン３４〜３６が請求項の第１操作部として相当する部位である。
【００２５】
そして、前記モーメンタリタイプのモーメンタリスイッチ３１〜３３は、非操作状態から各スイッチ操作部３１Ａ〜３３Ａが押し下げられると、各スイッチ操作部３１Ａ〜３３Ａが前記押し下げ位置で維持されると共にスイッチオン状態に切り換わり、その維持状態から再び各スイッチ操作部３１Ａ〜３３Ａに押し下げ力が加えられると、前記状態の解除がなされて、元のスイッチオフ状態である各スイッチ操作部３１Ａ〜３３Ａが非操作位置に戻るものを使用している。
【００２６】
また、配線基板２０には、回転操作時に操作感触を伴わないロータリーエンコーダなどの回転型電子部品３８も搭載されている。なお、前記配線基板２０は、従来同様にＦＰＣを介して外部と電気的に接続されているが、当該部分の図示などは省略する。
【００２７】
そして、前記回転型電子部品３８の操作軸３８Ａには、円柱状の中間部材３９が結合され、さらに前記中間部材３９には、円盤部材４１〜４４が所定間隔をあけるようにして上方側から円盤部材４１、４２、４３、４４の順に、操作軸３８Ａの中心軸線に直交し、かつ互いに平行関係で中間部材３９と共回り可能に固着されている。
【００２８】
この円盤部材４１〜４４のそれぞれの上面側は、平坦面で構成されている。そして、上方から三つの円盤部材４１〜４３の下面側には、中心位置から一定幅のクリック溝４１Ａ〜４３Ａが放射状に設けられている。
【００２９】
その円盤部材４１〜４３の下面図を、図３〜図５に示す。図３に示すように、円盤部材４１にはクリック溝４１Ａが９０度ピッチで設けられ、円盤部材４２にはクリック溝４２Ａが４５度ピッチで設けられ、円盤部材４３にはクリック溝４３Ａが２２．５度ピッチで設けられている。このクリック溝の配置角度ピッチは、使用する機器の操作角度位置にそれぞれ整合させて設けられている。
【００３０】
そして、４５は、平板ばねなどの弾性部材からなり、中間位置の部分が、上方筐体部２２に設けられた保持部２３Ａで回動可能に保持された第１ばね体である。その一端側は、円盤部材４１の下面と円盤部材４２の上面との間に位置している。また、その他端側は、モーメンタリスイッチ３１に装着された押しボタン３４の側壁部に基板面に平行に設けられた溝部３４Ａ内に位置するように配されている。その一端側の端部位置には、上下面がそれぞれ球面に形成された球体部４８が一体に配されている。なお、この球体部４８は、例えば第１ばね体４５の一端に貫通孔を設け、その貫通孔に棒状の樹脂部材を挿通させ、上下に突出した部分を熱カシメなどして前記形状のものとしたり、別部材を用いず第１ばね体４５そのものを加工形成したものであってもよい。
【００３１】
そして、モーメンタリスイッチ３１が非操作状態であるときには、第１ばね体４５は、その他端側の端部が押しボタン３４の溝部３４Ａ下面によって押し上げられ、保持部２３Ａで保持された中間部分を境に一端側が下方に向かうように回動され、前記一端側に設けられた球体部４８の下方球面部が円盤部材４２の平坦な上面に弾接状態になっている。このとき、球体部４８の上方球面部と円盤部材４１の下面とは、所定間隔があいた状態となっている。
【００３２】
また、詳細な図示は省略するが、４６は、平板ばねなどの弾性部材からなり、同様に、中間位置の部分が上方筐体部２２に設けられた保持部２３Ｂで回動可能に保持され、その一端側が、円盤部材４２の下面と円盤部材４３の上面との間に位置し、かつ他端側が、モーメンタリスイッチ３２に装着された押しボタン３５の側壁部に設けられた溝部３５Ａ内に位置するように配された第２ばね体である。
【００３３】
そして、４７も、平板ばねなどの弾性部材からなり、同様に、中間位置の部分が上方筐体部２２に設けられた保持部２３Ｃで回動可能に保持され、その一端側が、円盤部材４３の下面と円盤部材４４の上面との間に位置し、かつ他端側が、モーメンタリスイッチ３３に装着された押しボタン３６の側壁部に設けられた溝部３６Ａ内に位置するように配された第３ばね体である。
【００３４】
それらの第２または第３ばね体４６または４７の一端側にもそれぞれ球体部４８が配され、各スイッチ３２または３３の非操作状態では、前記各一端側が下方側に向かうように回動され、前記各球体部４８の下方球面部は、対応する円盤部材４３または４４の平坦な上面に弾接状態になると共に、その各上方球面部は、対応する円盤部材４２または４３の下面に所定間隔をあけた状態で位置している。
【００３５】
そして、各円盤部材４１〜４４が固着された中間部材３９の上部は、上方筐体部２２に設けられた孔部を介して上方に突出しており、その突出部分の上端には円盤型の操作つまみ４９が結合されている。なお、この操作つまみ４９及び回転型電子部品３８に纏わる部位が請求項の第２操作部としてなるものである。
【００３６】
以上のように本発明による操作ユニット５０は構成されている。
【００３７】
そして、当該操作ユニット５０は、例えば図６に示す操作モジュール５１として搭載される。その操作モジュール５１の構成としては、操作ユニット５０からの信号がメイン制御部６１に入力され、前記入力信号に基づきメイン制御部６１の制御で、第１〜第３電子機器７１Ａ〜７１Ｃの中から所望の機器が選択されると共に選択した機器の機能操作すなわち制御がなされる構成となっている。また、メイン制御部６１は、表示部６５の表示制御もなす。
【００３８】
そして、操作ユニット５０のモーメンタリスイッチ３１〜３３のそれぞれは、前記第１〜第３電子機器７１Ａ〜７１Ｃの選択用に割り当てられている。
【００３９】
また、前記第１〜第３電子機器７１Ａ〜７１Ｃの選択操作がなされるまでは、表示部６５内には、メイン制御部６１の制御で各機器７１Ａ〜７１Ｃの名称一覧が表示され、所望の機器の選択と同時にメイン制御部６１の制御により表示内容が、選択した機器に応じた画面に切り換わるようになっている。
【００４０】
ここで、各機器７１Ａ〜７１Ｃの中から第１電子機器７１Ａの操作を希望する場合について説明すると、使用者は、表示部６５内に表示されている各機器７１Ａ〜７１Ｃの名称一覧を確認し、第１電子機器７１Ａの選択用として割り当てられているモーメンタリスイッチ３１の押しボタン３４を押し下げ操作して、モーメンタリスイッチ３１をスイッチオン状態に切り換える。
【００４１】
そして、そのモーメンタリスイッチ３１からのオン信号がメイン制御部６１により判別されると、メイン制御部６１の制御により表示部６５内容が第１電子機器７１Ａに応じた画面に切り換わる。
【００４２】
このとき、操作ユニット５０側の動作としては、押しボタン３４が下方に移動するにつれて、その側壁部に設けられた溝部３４Ａも下方に移動していくため、図７に示すように、その溝部３４Ａ内に他端側が配された第１ばね体４５は、保持部２３Ａを支点として、その一端側が上方に移動するように回動動作をする。そして、モーメンタリスイッチ３１のスイッチ操作部３１Ａが押し下げられた位置で維持されたスイッチオン状態では、その一端側に配された球体部４８の下方球面部が円盤部材４２の上面から離れ、上方球面部が円盤部材４１の下面に弾接状態となる。なお、このときに他の第２及び第３ばね体４６及び４７の状態は変わらない。
【００４３】
続いて、使用者が、表示部６５を視認しつつ、操作つまみ４９を回転操作すると、中間部材３９を介してこれに固着された円盤部材４１〜４４及び操作軸３８Ａが同期回転して、円盤部材４１の下面に９０度ピッチで設けられたクリック溝４１Ａに対し球体部４８の上方球面部が入り込み、その後抜け出す動作が操作つまみ４９の３６０度の回転操作の中で４回繰り返され、それが操作感触として感じられる。
【００４４】
なお、その操作状況が視認できるように、メイン制御部６１の制御で、図８に示すように、表示部６５内に指標６６Ａ付きの操作つまみ表示６６をなすと共に、その周囲部分に９０度間隔で目印６７を表示させ、操作つまみ４９の回転操作に同期して指標６６Ａの位置が回転していく表示をさせると操作状況の把握が容易にできて好ましい。
【００４５】
また、前記操作つまみ４９の回転操作に応じて回転型電子部品３８からは所定出力がメイン制御部６１に入力されるが、メイン制御部６１はモーメンタリスイッチ３１のオン状態を判別した際に、前記操作感触が得られる操作角度位置での信号のみを読み込んで判別するモードとなり、その判別した結果に基づき、選択された第１電子機器７１Ａの制御をなす。なお、その回転操作に応じた状況を表示部６５内に表示させてもよい。また、回転操作後の確定処置は、図示しない確定用スイッチなどを配して、その操作で行ってもよいし、または回転型電子部品３８にプッシュスイッチ付きのものを用いて、前記操作つまみ４９の所定の回転操作後に、続けて操作つまみ４９を押し下げて、そのプッシュスイッチからの信号で行ってもよい。このように前記一つの操作つまみ４９への操作で確定操作まで行う場合には、確定操作の操作形態を、それまでの機能操作時の操作形態と異なる操作形態で行えるように構成すると、誤操作が少なくでき好ましい。
【００４６】
そして、所望の第１電子機器７１Ａへの所定操作が終了すると、使用者は、再度押しボタン３４を押して、モーメンタリスイッチ３１を元のスイッチオフ状態に戻す。この状態を判別したメイン制御部６１は、表示部６５の表示を元の機器名称一覧に戻すと共に、回転型電子部品３８から得られる前記信号の読み込みモードを解除する。
【００４７】
この際における操作ユニット５０側の動作としては、押しボタン３４が元の上方位置に戻ることにより、第１ばね体４５の溝部３４Ａ内に配された他端側が上方に向けて押し上げられていき、第１ばね体４５が保持部２３Ａを支点として回動し、その一端側に配された球体部４８の下方球面部が再び円盤部材４２の上面に弾接している図１に示した状態に戻る。
【００４８】
なお、所望の機器が第２電子機器７１Ｂまたは第３電子機器７１Ｃである場合には、前記と同様に、各機器の選択用としてなる押しボタン３５または３６を押し下げ操作して、モーメンタリスイッチ３２または３３をスイッチオン状態に維持させる。これにより、第２ばね体４６または第３ばね体４７が前記同様に保持部２３Ｂまたは２３Ｃを中心として回動動作し、その各一端側に配された球体部４８における上方球面部が、対応する円盤部材４２または４３の下面に弾接状態になる。なお、このとき、表示部６５の表示内容はメイン制御部６１での制御により、選択した機器に応じた画面表示に切り換わる。
【００４９】
そして、円盤部材４２または４３の下面には、それぞれクリック溝４２Ａまたは４３Ａが所定角度ピッチで配されているため、操作つまみ４９の３６０度の回転動作の中では、押しボタン３５を押し下げ操作して第２電子機器７１Ｂを制御する際には、８回の操作感触が、また押しボタン３６を押し下げ操作して第３電子機器７１Ｃを制御する際には、１６回の操作感触が得られる。なお、前記操作感触が得られる各々の操作角度位置で、メイン制御部６１は回転型電子部品３８からの信号を読み込んで、その判別結果に応じて選択された第２電子機器７１Ｂまたは第３電子機器７１Ｃの制御を行うことは上述した第１電子機器７１Ａの場合と同じである。
【００５０】
また、このときの表示部６５の表示内容としても、第２電子機器７１Ｂが選択された際には、図９に示すように、指標６６Ａ付きの操作つまみ表示６６をなすと共にその周囲部分に４５度間隔で目印６７を表示させ、第３電子機器７１Ｃが選択された際には、図１０に示すように、同じく２２．５度間隔で目印６７を表示させ、操作つまみ４９の回転操作に同期して指標６６Ａの位置が回転していく表示をさせるようにすると好ましい。
【００５１】
以上のように、本発明による操作ユニット及びこれを用いた操作モジュールはモータを用いずに、第１操作部で所望の電子機器を選択操作すると、前記選択操作に連動して、機構的な変移を伴って、第２操作部としてなる回転型電子部品３８の操作感触生成位置が、選択した機器に応じた位置に切り換わって操作できるものである。このため、当該構成であれば、従来必要であったモータの配置スペースなどをなくせると共にモータの制御プログラムも不要となるため、簡素で安価なものにできる。
【００５２】
なお、当該構成のものは、選択した機器毎に操作感触を変えて生成させることも容易にでき、各ばね体を異なるばね力のものとする、または円盤部材のクリック溝とそれに入り込む球体部の形状をそれぞれ所望の感触に合わせて適宜設定するのみで容易に対応することができる。また、操作感触発生位置としても、前記に説明したものに限られることはなく、クリック溝の配置位置などは適宜設定すればよい。
【００５３】
また、本実施の形態では、三つの電子機器の制御が行えるものを事例として説明したが、当該構成のものは二つ以上の機器に対し選択制御を行うものに適用することができる。なお、第２操作部は、回転操作型のものに限られず、レバーやスライド型のものであってもよい。
【産業上の利用可能性】
【００５４】
本発明にかかる操作ユニット及びそれを用いた操作モジュールは、第１操作部で所望の電子機器を選択し、それに連動して機構的な変移を伴って第２操作部の操作感触生成位置が、前記選択した機器に応じた操作位置に切り換わって、前記選択した機器毎への個別操作ができるもののため、従来必要であったモータなどを必要とせず簡素で安価な構成のものにできるという効果を有し、複数の電子機器の中から所望の機器を選択して操作するための装置などに有用である。
【図面の簡単な説明】
【００５５】
【図１】本発明の一実施の形態による操作ユニットの側面図
【図２】同上面図
【図３】同要部である円盤部材の下面図
【図４】同要部である円盤部材の下面図
【図５】同要部である円盤部材の下面図
【図６】同操作ユニットを用いて構成した操作モジュールのブロック図
【図７】同操作モジュールにおいて操作ユニットの第１操作部を操作した際の操作ユニットの動作状態を示す側面図
【図８】同操作モジュールにおいて操作ユニットの第１操作部を操作した際の表示部の表示事例を示す図
【図９】同操作モジュールにおいて操作ユニットの第１操作部を操作した際の表示部の表示事例を示す図
【図１０】同操作モジュールにおいて操作ユニットの第１操作部を操作した際の表示部の表示事例を示す図
【図１１】従来の操作ユニットの側面図
【図１２】同上面図
【図１３】同操作ユニットを用いて構成した操作モジュールのブロック図
【符号の説明】
【００５６】
２０  配線基板
２１  下方筐体部
２２  上方筐体部
２３Ａ〜２３Ｃ  保持部
３１〜３３  モーメンタリスイッチ
３１Ａ〜３３Ａ  スイッチ操作部
３４〜３６  押しボタン
３４Ａ〜３６Ａ  溝部
３８  回転型電子部品
３８Ａ  操作軸
３９  中間部材
４１〜４４  円盤部材
４１Ａ〜４３Ａ  クリック溝
４５  第１ばね体
４６  第２ばね体
４７  第３ばね体
４８  球体部
４９  操作つまみ
５０  操作ユニット
５１  操作モジュール
６１  メイン制御部
６５  表示部
６６  操作つまみ表示
６６Ａ  指標
６７  目印
７１Ａ〜７１Ｃ  第１〜第３電子機器
【図１】
2006222003.tif 000003
【図２】
2006222003.tif 000004
【図３】
2006222003.tif 000005
【図４】
2006222003.tif 000006
【図５】
2006222003.tif 000007
【図６】
2006222003.tif 000008
【図７】
2006222003.tif 000009
【図８】
2006222003.tif 000010
【図９】
2006222003.tif 000011
【図１０】
2006222003.tif 000012
【図１１】
2006222003.tif 000013
【図１２】
2006222003.tif 000014
【図１３】
2006222003.tif 000015